(57)【要約】【課題】本発明は、使用済み紙容器の再利用あるいは折り畳むなどして嵩を減らして廃棄し易くした長期保存可能な、比較的軽い力で頂部の開封を可能にし、容器外観を損ねることのない易解体性を付与したゲーブルトップ型紙容器を提供する。【解決手段】四枚の側板と、この側板の一枚に接続する糊代片とを有する四角筒状の胴部（４０）と、この胴部（４０）の一方の開口端部に形成された切り妻屋根状に折り込み閉鎖されたゲーブルトップ型の頂部（４１）と、胴部（４０）の他方の開口端部に形成される底部（４２）とからなる、ゲーブルトップ型紙容器（４）であって、少なくとも頂部（４１）を構成するトップシール部（４３）の一組の外側貼着片（１５）の内面側端縁に容器の接液面側（紙から内容物側）シールに影響のない範囲の深さの縦方向の半切れ線（１９）が設けられている。【選択図】図４
2008143532.tif 000002
【特許請求の範囲】
【請求項１】
連接する四枚の側板と、この側板の一枚に接続する糊代片とを有する四角筒状の胴部と、この胴部の一方の開口端部に形成された切り妻屋根状に折り込み閉鎖されたゲーブルトップ型の頂部と、胴部の他方の開口端部に形成された底部とからなる、液体用紙複合容器において、
前記頂部が、側板に連設された相対向する一組の屋根板と、他の相対向する一組の妻板とから形成されると共に、各屋根板と各妻板とは交互に順次環状に連設され、相対向する一組の屋根板は、四角形状の傾斜片と外側貼着片とで形成され、相対向する一組の妻板は、側板に連設された折り込み片と、この折り込み片に連設されると共に、傾斜片に連設された一対の折り返し片と、この一対の折り返し片に連設された一対の内側貼着片とで形成され、各外側貼着片は、各内側貼着片から突出するように各内側貼着片より幅広に形成され、各境界を折り曲げ線として、折り込み片と折り返し片との折り曲げ線を内側に折り込むようにして、相対向する妻板を屋根板間に折り込み、かつ相対向する傾斜片を内側に折り込み、外側貼着片により各内側貼着片を重合させ、この重合部をトップシール部として接着させることにより形成されるゲーブルトップ型紙容器であって、
前記トップシール部の少なくとも一組の外側貼着片の内面側端縁に、容器の接液面側シールに影響のない深さの縦方向の半切れ線が設けられていることを特徴とする易解体性ゲーブルトップ型紙容器。
【請求項２】
前記トップシール部の一組の外側貼着片の内面側端縁に設けられる縦方向の半切れ線は、トップシール部の外側貼着片の内面側上端中央近傍に設けられていることを特徴とする請求項１記載の易解体性ゲーブルトップ型紙容器。
【発明の詳細な説明】
【技術分野】
【０００１】
本発明は、使用済み紙容器の再利用あるいは折り畳むなどして嵩を減らして廃棄し易くした長期保存可能な液体紙複合容器であって、特に、易解体性を付与したゲーブルトップ型紙容器に関する。
【背景技術】
【０００２】
清酒、ジュース等の長期保存用の液体複合紙容器として、紙を主材料にした積層シートを用い、容器本体の頂部を切り妻屋根型に成形した、いわゆるゲーブルトップ型と呼ばれる紙容器が広く流通している。そしてこの紙容器を構成している積層シートは、例えば、ポリエチレン／紙／エチレン−アクリル酸共重合体／ポリエチレンテレフタレートフィルム／酸化珪素蒸着薄膜／接着剤／ポリエチレン等の層構成からなるポリエチレンテレフタレートフィルム等の物理的強度の大きな層を有する複合積層材料を用いている。
【０００３】
ところが、容器包装リサイクル法（正式名称「包装容器に係わる分別収集及び再商品化の促進等に関する法律」）の施行に伴い、中身を取り出した後の紙容器のリサイクルおよび廃棄時のゴミの減容化を目的として、使用後の空容器を解体する必要が生じてきた。
【０００４】
そこで、容器の解体方法として一般的には、図２０で示すように、容器頂部の切り妻屋根型部分のトップシール部を先ず左右に引き裂くように指で外側に押し広げ、反対側も同様に押し広げ、頂部のトップシール部を十文字状に分離する（一次開封）。
【０００５】
次いで、十文字状になったトップシール部の相対向するフラップを指でしっかり掴み、対角線に沿って外側方向に引っ張って頂部を開口する。反対側のフラップも同様に対角線に沿って外側方向に引っ張り頂部を完全に開口する（二次開封）。
【０００６】
最後に胴部分と底部分とを鋏等で切り開き、シート状に広げて口栓部分をむしり取るなり、切り取るなりして、残ったシート状の紙容器の内面側を洗浄し、乾燥させてリサイクル対象として処分される。その際、切り取るなどした口栓部分はプラスチックごみとしてリサイクル等の処分がされる。但し、前記内面側の洗浄および乾燥については、上述した時に限定されるものではなく、二次開封を行った後にしても良い。
【０００７】
ところが、ゲーブルトップ型紙容器は、液体を収納する際、液もれを防止する意味からも完全密封してあるため、リサイクルのために紙容器を解体しようとしても手では簡単には開封できない。特に、物理的強度の大きいポリエチレンテレフタレートフィルムを用いた前記層構成の紙容器では、密封シール強度が一次開封時では４０Ｎ／１５ｍｍ程度、また、二次開封時には７０Ｎ／１５ｍｍ程度あるため容易に開封できないという問題がある。
【０００８】
そこで、頂部を切り妻屋根型に成形したゲーブルトップ型紙容器の頂部を開封する際に発生する上記のような問題点を解決するために、例えば、特許文献１において、図１８で示すように、トップシール部（６３）の一組の外側貼着片の少なくともいずれか一方の横方向の左右両端に横方向のＩノッチ（６４、６４）を設け、このＩノッチ（６４、６４）をきっかけにして紙の層間剥離により剥離することにより、容易に頂部を剥離（二次開封）することができるゲーブルトップ型紙容器（６）が提案されている。
【０００９】
また、例えば、特許文献２においては、図１９で示すように、トップシール部（７３）の一組の外側貼着片の端縁に縦方向のＶノッチ（７４）を設け、このＶノッチ（７４）を
きっかけにして紙の層間剥離により剥離することにより、容易に頂部を剥離（二次開封）することができるゲーブルトップ型紙容器（７）が提案されている。
【００１０】
しかしながら、上記のいずれのゲーブルトップ型紙容器の提案もトップシール部の一組の外側貼着片にノッチを設ける構造であり、容器の外観を損ねるものである。
【特許文献１】特開２００２−２５５１５１号公報
【特許文献２】特開２００２−２５５１５２号公報
【発明の開示】
【発明が解決しようとする課題】
【００１１】
本発明は、頂部を切り妻屋根型に成形したゲーブルトップ型紙容器の頂部を開封する際に発生する上記のような問題点を解決するためになされたもので、使用済み紙容器の再利用あるいは折り畳むなどして嵩を減らして廃棄し易くした長期保存可能な、比較的軽い力で頂部の開封を可能にし、容器外観を損ねることのない液体紙複合容器であって、特に、易解体性を付与したゲーブルトップ型紙容器を提供することを課題とする。
【課題を解決するための手段】
【００１２】
上記の課題を解決する手段として、即ち、
請求項１に係る発明は、
連接する四枚の側板と、この側板の一枚に接続する糊代片とを有する四角筒状の胴部と、この胴部の一方の開口端部に形成された切り妻屋根状に折り込み閉鎖されたゲーブルトップ型の頂部と、胴部の他方の開口端部に形成された底部とからなる、液体用紙複合容器において、
前記頂部が、側板に連設された相対向する一組の屋根板と、他の相対向する一組の妻板とから形成されると共に、各屋根板と各妻板とは交互に順次環状に連設され、相対向する一組の屋根板は、四角形状の傾斜片と外側貼着片とで形成され、相対向する一組の妻板は、側板に連設された折り込み片と、この折り込み片に連設されると共に、傾斜片に連設された一対の折り返し片と、この一対の折り返し片に連設された一対の内側貼着片とで形成され、各外側貼着片は、各内側貼着片から突出するように各内側貼着片より幅広に形成され、各境界を折り曲げ線として、折り込み片と折り返し片との折り曲げ線を内側に折り込むようにして、相対向する妻板を屋根板間に折り込み、かつ相対向する傾斜片を内側に折り込み、外側貼着片により各内側貼着片を重合させ、この重合部をトップシール部として接着させることにより形成されるゲーブルトップ型紙容器であって、
前記トップシール部の少なくとも一組の外側貼着片の内面側端縁に、容器の接液面側シールに影響のない深さの縦方向の半切れ線が設けられていることを特徴とする易解体性ゲーブルトップ型紙容器である。
【００１３】
また、請求項２に係る発明は、
前記トップシール部の一組の外側貼着片の内面端縁に設けられる縦方向の半切れ線は、トップシール部の外側貼着片の内面側上端中央近傍に設けられていることを特徴とする請求項１記載の易解体性ゲーブルトップ型紙容器である。
【発明の効果】
【００１４】
請求項１に係る発明により、トップシール部の外側貼着片の内面側端縁に、容器の接液面側（紙から内容物側）シールに影響のない範囲の深さの縦方向の半切れ線が設けられているので、特にポリエチレンテレフタレートフィルム等の物理的強度を有する層構成の積層シートを使用したゲーブルトップ型紙容器であっても、相対向するフラップを対角線に沿って外側方向に引っ張る際、その半切り線がきっかけになって頂部のトップシール部は比較的容易に開封が可能になる。
【００１５】
また、請求項２に係る発明により、トップシール部の外側貼着片の内面側端縁に設けられる半切れ線の位置をトップシール部の上端中央近傍としたことにより、相対向するフラップを対角線に沿って外側方向に引っ張る際、左右均等に外側貼着片を破壊することができ、比較的容易に頂部のトップシール部を開封することができる。
【００１６】
また、本発明の易解体性ゲーブルトップ型紙容器におけるトップシール部の外側貼着片内面側端縁に容器の接液面側（紙から内容物側）シールに影響のない範囲の深さの半切り線を設ける構造であるから、従来レベルの密封性を確保できるとともに充填シール機における条件変更等の必要がない。
【００１７】
さらに、本発明の易解体性ゲーブルトップ型紙容器は、トップシール部の外側貼着片の内面側に半切れ線が設けられていることで、容器外部からはその半切れ線は目視できず容器外観を損ねることがない。
【発明を実施するための最良の形態】
【００１８】
本発明の易解体性ゲーブルトップ型紙容器の一実施形態について図面を参照して以下に詳細に説明する。図１は、本発明の実施形態の一例としての易解体性ゲーブルトップ型紙容器を展開した状態のブランク板を示す平面図である。図２は、本発明における容器を構成する積層シートの一例を示すブランク板の外側貼着片に設けた半切れ線近傍拡大断面図である。図３は、本発明における容器を構成する積層シートの他の例を示すブランク板の外側貼着片に設けた半切れ線近傍拡大断面図である。図４は、本発明の易解体性ゲーブルトップ型紙容器の外観斜視図および容器トップシール部の外側貼着片に設けた半切れ線近傍拡大斜視図である。図５は、本発明の実施形態の他の例としての易解体性ゲーブルトップ型紙容器を展開した状態のブランク板を示す平面図である。図６〜図１１は、本発明の実施形態の一例を示す易解体性ゲーブルトップ型紙容器の頂部の解体方法を説明する説明図である。図１２〜図１７は、本発明の実施形態の一例を示す易解体性ゲーブルトップ型紙容器の底部の解体方法を説明する説明図である。
【００１９】
本発明の実施形態の一例としての易解体性ゲーブルトップ型紙容器は、容器を展開した状態を図１で示すブランク板（１）から構成される。このブランク板（１）は、連設する四枚の側板（１０）と、この側板（１０）の一枚に接続する糊代片（１１）とを有し、側板（１０）に連設された相対向する一組の屋根板（１２、１２）と、他の相対向する一組の妻板（１３、１３）とから形成されると共に、各屋根板（１２、１２）と各妻板（１３、１３）とは交互に順次環状に連設され、相対向する一組の屋根板（１２、１２）は、四角形状の傾斜片（１４、１４）と外側貼着片（１５、１５）とで形成され、相対向する一組の妻板（１３、１３）は、側板（１０）に連設された折り込み片（１６、１６）と、この折り込み片（１６、１６）に連設されると共に、傾斜片（１４、１４）に連設された一対の折り返し片（１７、１７）と、この一対の折り返し片（１７、１７）に連設された一対の内側貼着片（１８、１８）とで形成され、各外側貼着片（１５、１５）は、各内側貼着片（１８、１８）から突出するように各内側貼着片より縦方向の長さが長くなるように形成され、その各外側貼着片（１５、１５）の内面側上端中央近傍に縦方向の半切れ線（（１９、１９）が設けられている。そして、各境界を折り曲げ線として、折り込み片（１６、１６）と折り返し片（１７、１７）との折り曲げ線を谷折り（内側に折り込むように）して、相対向する妻板（１３、１３）を屋根板（１２、１２）間に折り込み、続いて相対向する傾斜片（１４、１４）を内側に折り込み、外側貼着片（１５、１５）により各内側貼着片（１８、１８）を重合させ、この重合部をトップシール部として接着させることにより易解体性ゲーブルトップ型紙容器が形成される。
【００２０】
このブランク板（１）を構成する積層シートとしては、例えば、図２で示すように、ポリエチレン（２０μｍ厚）（２１）／紙（坪量４００ｇ／ｍ2）（２０）／ポリエチレン
（３０μｍ厚）（２１）／アルミニウム箔（１２μｍ厚）（２２）／ポリエチレンテレフタレートフィルム（１２μｍ厚）（２３）／ポリエチレン（６０μｍ厚）（２４）構成からなる複合シート（２）や、図３で示すように、ポリエチレン（２０μｍ厚）（３１）／紙（坪量４００ｇ／ｍ2）（３０）／ポリエチレン（３０μｍ厚）（３１）／酸化ケイ素蒸着ポリエチレンテレフタレートフィルム（１２μｍ厚）（３２３）／ポリエチレン（６０μｍ厚）（３４）構成からなる複合シート（３）が好ましく使用できる。
【００２１】
上記のブランク板（１）から構成される本発明の実施形態の一例としての易解体性のゲーブルトップ型紙容器は、図４（ａ）で示すように、四枚の側板と、この側板の一枚に接続する糊代片とを有する四角筒状の胴部（４０）と、この胴部（４０）の一方の開口端部に形成された切り妻屋根状に折り込み閉鎖されたゲーブルトップ型の頂部（４１）と、胴部（４０）の他方の開口端部に形成される底部（４２）とからなる、ゲーブルトップ型紙容器（４）であって、頂部（４１）を構成するトップシール部（４３）の一組の外側貼着片（１５）の内面側上端中央近傍に容器の接液面側（紙から内容物側）シールに影響のない範囲の深さの縦方向の半切れ線（１９）が設けられた構成のものであって、この半切れれ線（１９）をきっかけとして、特にポリエチレンテレフタレートフィルム等の物理的強度を有する層構成の積層シートを使用したゲーブルトップ型紙容器であっても、相対向するフラップを対角線に沿って外側方向に引っ張る際、その半切り線がきっかけになって頂部のトップシール部は比較的容易に開封が可能になるとともに、半切れ線（１９）は密封シールへの影響がなく、従来レベルの密封性を確保できるとともに充填シール機における条件変更等の必要がない。さらに、容器外部からその半切れ線は目視できず容器外観を損ねることがない。
【００２２】
図４（ｂ）は、図２で示す積層シートを用いたブランク板（２）からなるゲーブルトップ型紙容器（４）のトップシール部（４３）の一部を拡大して示した斜視図であって、頂部（４１）を構成するトップシール部（４３）の一組の外側貼着片（１５）の内面側上端中央近傍に設けた縦方向の半切れ線（１９）は、積層シートの内面側シーラント層（２４）から内面側ポリエチレン層（２１）内端まで切り込まれた半切れ線（１９）であって、外側貼着片（１５）により各内側貼着片（１８）を重合させ、この重合部をトップシール部として接着させる際に、シーラント層（２４、２４）の半切れ線は融着してシーラント樹脂で埋まってしまい、ポリエチレンテレフタレートフィルム（２３）からアルミニウム箔（２２）までの間に半切れ線が形成されている。この半切れ線は、容器の接液面側（紙から内容物側）シールへの影響がなく、容器外観からは目視できない構造である。
【００２３】
さらに、本発明の実施形態の一例としての易解体性ゲーブルトップ型紙容器は、容器を展開した状態を図５で示すブランク板（５）から構成される。このブランク板（５）は、連設する四枚の側板（５０）と、この側板（５０）の一枚に接続する糊代片（５１）とを有し、側板（５０）に連設された相対向する一組の屋根板（５２、５２）と、他の相対向する一組の妻板（５３、５３）とから形成されると共に、各屋根板（５２、５２）と各妻板（５３、５３）とは交互に順次環状に連設され、相対向する一組の屋根板（５２、５２）は、四角形状の傾斜片（５４、５４）と外側貼着片（５５ａ、５５ｂ）とで形成され、この外側貼着片（５５ａ、５５ｂ）内面側上端中央近傍に縦方向の半切れ線（５９、５９）が形成され、相対向する一組の妻板（５３、５３）は、側板（５０）に連設された折り込み片（５６、５６）と、この折り込み片（５６、５６）に連設されると共に、傾斜片（５４、５４）に連設された一対の折り返し片（５７、５７）と、この一対の折り返し片（５７、５７）に連設された一対の略台形形状の内側貼着片（５８、５８）とで形成され、この一対の内側貼着片（５８、５８）内面側上端中央近傍に縦方向の半切れ線（５９、５９）が形成され、また、各外側貼着片（５５、５５）は、一方の外側貼着片が他方の外側貼着片より縦方向の長さが長くなるように形成されている。そして、各境界を折り曲げ線として、折り込み片（５６、５６）と折り返し片（５７、５７）との折り曲げ線を谷折り
（内側に折り込むように）して、相対向する妻板（５３、５３）を屋根板（５２、５２）間に折り込み、続いて相対向する傾斜片（５４、５４）を内側に折り込み、第１パネルの側板（５０）に連設する傾斜片（５４）の一対の台形形状のシール部（５４ａ、５４ａ）とこの傾斜片（５４）に連設する折り返し片（５７）の一方の台形形状のシール部（５７ａ）および糊代片（５１）に連設する折り返し片（５７）の台形形状のシール部（５７ａ）が各々重合させるとともに、外側貼着片（５５、５５）により各内側貼着片（５８、５８）を重合させ、この重合部をトップシール部として接着させることにより易解体性ゲーブルトップ型紙容器が形成される。
【００２４】
本発明における半切れ線加工は、本発明の実施形態の一例としての易解体性ゲーブルトップ型紙容器を構成する図１で示すブランク板（１）における縦方向の直線形状半切れ線に限定されるものではなく、破線等でもよく、複数本形成することもできる。また、横方向の半切れ線であってもよい。そして、この半切れ線は、少なくとも、図２、図３で示すポリエチレンテレフタレート（ＰＥＴ）フィルム層（２３、３３）まで切れていればよい。また、本発明の実施形態の他の例としての易解体性ゲーブルトップ型紙容器を構成する図５で示すブランク板（２）で例示したように、外側貼着片（５５、５５）以外に内側貼着片（５８、５８）にも半切れ線（５９）を設けることができる等シール部領域に任意に設けることが可能である。さらには、容器底部の所定の位置に設けることもできる。
【００２５】
また、本発明における半切れ線加工は、例えば、積層シートから紙容器ブランク板に打ち抜く際の打ち抜き工程で容易に加工することができる。
【００２６】
次に、このようにして作製した本発明の易解体性ゲーブルトップ型紙容器の解体方法について図６〜図１１で示す図面を参照して説明する。まず、頂部の解体方法は、解体前の本発明の易解体性ゲーブルトップ型紙容器（図６参照）の屋根部の片側を開く（図７参照）、次に、反対側の屋根を開き、十文字形状にする（図８参照）。引き続き、一対を引っ張り（図９参照）半分開封する（図１０参照）。さらに、もう一組を引っ張り開封して完了する（図１１参照）。
【００２７】
このようにして作製した易解体性ゲーブルトップ型紙容器の頂部の切り妻屋根状部分を先ず左右に引き裂くように外側に押し広げ、反対側も同様に押し広げた。この際、頂部分のトップシール部分は比較的容易に十文字状に分離することができ、十文字状に分離されたトップシール部分の相対向するフラップを対角線に沿って外側方向に引っ張ったところ、半切り線により、特にポリエチレンテレフタレートフィルム等の物理的強度を有する層構成の積層シートを使用したゲーブルトップ型紙容器であっても、ポリエチレンテレフタレートフィルム等の一部が切断されているため、その部分がきっかけとなり容易に切り裂くことができ、その結果容易に頂部を開口することができる。
【００２８】
次に、底部の解体方法について図１２〜図１７で示す図面を参照して説明する。折り込まれた片側を内側に押し込みはがす（図１２参照）。そして、反対側を同様に押し込みはがす（図１３参照）。引き続き、底面の折りたたまれた部位を引き起こし（図１４参照）、頂部と同様に十文字形状になるようにはがす（図１５参照）。さらに、一対を引っ張り開封し（図１６参照）、もう一組を引っ張り開封を完了する（図１７参照）。
【００２９】
上記のように、本発明の易解体性ゲーブルトップ型紙容器は、トップシール部の少なくとも外側貼着片の内面側端縁に、容器の接液面側（紙から内容物側）シールに影響のない範囲の深さの縦方向の半切れ線が設けられているので、特にポリエチレンテレフタレートフィルム等の物理的強度を有する層構成の積層シートを使用したゲーブルトップ型紙容器であっても、相対向するフラップを対角線に沿って外側方向に引っ張る際、その半切り線がきっかけになって頂部のトップシール部は比較的容易に開封が可能になる。また、トッ
プシール部の外側貼着片の内面側端縁に設けられる半切れ線の位置をトップシール部の上端中央近傍としたことにより、相対向するフラップを対角線に沿って外側方向に引っ張る際、左右均等に外側貼着片を破壊することができ、比較的容易に頂部のトップシール部を開封することができる。
【００３０】
また、本発明の易解体性ゲーブルトップ型紙容器におけるトップシール部の外側貼着片に容器の接液面側（紙から内容物側）シールに影響のない範囲の深さの半切り線を設ける構造であるから、従来レベルの密封性を確保できるとともに充填シール機における条件変更等の必要がない。さらに、本発明の易解体性ゲーブルトップ型紙容器は、トップシール部の外側貼着片の内面側に半切れ線が設けられていることで、容器外部からその半切れ線は目視できず容器外観を損ねることがない。
【図面の簡単な説明】
【００３１】
【図１】本発明の実施形態の一例を示す易解体性ゲーブルトップ型紙容器を展開した状態のブランク板を示す平面図である。
【図２】本発明における容器を構成する積層シートの一例を示すブランク板の外側貼着片近傍断面図である。
【図３】本発明における容器を構成する積層シートの他の例を示すブランク板の外側貼着片近傍断面図である。
【図４】本発明の実施形態の一例を示す易解体性ゲーブルトップ型紙容器を説明する斜視図である。
【図５】本発明の実施形態の他の例を示す易解体性ゲーブルトップ型紙容器を展開した状態のブランク板を示す平面図である。
【図６】本発明の実施形態の一例を示す易解体性ゲーブルトップ型紙容器の頂部の解体方法を説明する説明図である。
【図７】本発明の実施形態の一例を示す易解体性ゲーブルトップ型紙容器の頂部の解体方法を説明する説明図である。
【図８】本発明の実施形態の一例を示す易解体性ゲーブルトップ型紙容器の頂部の解体方法を説明する説明図である。
【図９】本発明の実施形態の一例を示す易解体性ゲーブルトップ型紙容器の頂部の解体方法を説明する説明図である。
【図１０】本発明の実施形態の一例を示す易解体性ゲーブルトップ型紙容器の頂部の解体方法を説明する説明図である。
【図１１】本発明の実施形態の一例を示す易解体性ゲーブルトップ型紙容器の頂部の解体方法を説明する説明図である。
【図１２】本発明の実施形態の一例を示す易解体性ゲーブルトップ型紙容器の底部の解体方法を説明する説明図である。
【図１３】本発明の実施形態の一例を示す易解体性ゲーブルトップ型紙容器の底部の解体方法を説明する説明図である。
【図１４】本発明の実施形態の一例を示す易解体性ゲーブルトップ型紙容器の底部の解体方法を説明する説明図である。
【図１５】本発明の実施形態の一例を示す易解体性ゲーブルトップ型紙容器の底部の解体方法を説明する説明図である。
【図１６】本発明の実施形態の一例を示す易解体性ゲーブルトップ型紙容器の底部の解体方法を説明する説明図である。
【図１７】本発明の実施形態の一例を示す易解体性ゲーブルトップ型紙容器の底部の解体方法を説明する説明図である。
【図１８】従来のゲーブルトップ型紙容器の一例を示す斜視図である。
【図１９】従来のゲーブルトップ型紙容器の他の例を示す斜視図である。
【図２０】従来のゲーブルトップ型紙容器の解体方法を説明する説明図である。
【符号の説明】
【００３２】
１、５・・・ゲーブルトップ型紙容器を構成するブランク板
２、３・・・ブランク板を構成する積層シート
４、６、７・・・ゲーブルトップ型紙容器
１０、５０・・・側板
１１、５１・・・糊代片
１２、５２・・・屋根板
１３、５３・・・妻板
１４、５４・・・傾斜片
１５、５５・・・外側貼着片
１６、５６・・・折り込み片
１７、５７・・・折り返し片
１８、５８・・・内側貼着片
１９、５９・・・半切り線
２０、３０・・・紙層
２１、３１・・・ポリエチレン層
２２・・・アルミニウム箔
２３、３３・・・ポリエチレンテレフタレートフィルム
２４、３４・・・シーラント層（ポリエチレン層）
２５、３５・・・印刷層
３２・・・蒸着層
３２３・・・（酸化ケイ素）蒸着ポリエチレンテレフタレートフィルム
４０、６０、７０・・・胴部
４１、６１、７１・・・頂部
４２、６２、７２・・・底部
４３、６３、７３・・・トップシール部
６４、７４・・・ノッチ
【図１】
2008143532.tif 000003
【図４】
2008143532.tif 000004
【図５】
2008143532.tif 000005
【図１８】
2008143532.tif 000006
【図１９】
2008143532.tif 000007
【図２０】
2008143532.tif 000008
【図２】
2008143532.tif 000009
【図３】
2008143532.tif 000010
【図６】
2008143532.tif 000011
【図７】
2008143532.tif 000012
【図８】
2008143532.tif 000013
【図９】
2008143532.tif 000014
【図１０】
2008143532.tif 000015
【図１１】
2008143532.tif 000016
【図１２】
2008143532.tif 000017
【図１３】
2008143532.tif 000018
【図１４】
2008143532.tif 000019
【図１５】
2008143532.tif 000020
【図１６】
2008143532.tif 000021
【図１７】
2008143532.tif 000022